(57)【要約】【課題】  使用する光束の入射角度と方向に応じてピッチを最適に設定することで、全光束に対して回折が発生しない条件を保ちながらも、製造が簡易となる構成の偏光素子を得ることを目的とする。【解決手段】  使用波長以下の周期で屈折率周期構造を層の面方向の一方向に持つ層が、少なくとも１層ずつその周期方向が直交する方向に積層されている素子において、素子に入射する光束のうち、入射角度が最大となる光線の入射平面と前期周期方向が平行に近い方の層の周期をＰＡ、それと直交する周期方向の周期をＰＢとするとき、以下の条件式を満たす事を特徴とする偏光素子。    ＰＡ＜ＰＢ【選択図】  図２
2005331671.tif 000002
【特許請求の範囲】
【請求項１】
使用波長以下の周期で屈折率周期構造を層の面方向の一方向に持つ層が、少なくとも１層ずつその周期方向が直交する方向に積層されている素子において、素子に入射する光束のうち、入射角度が最大となる光線の入射平面と前期周期方向が平行に近い方の層の周期をＰＡ、それと直交する周期方向の周期をＰＢとするとき、以下の条件式を満たす事を特徴とする偏光素子。
ＰＡ＜ＰＢ
【請求項２】
使用波長以下の周期で屈折率周期構造を層の面方向の一方向に持つ層が、少なくとも１層ずつその周期方向が直交する方向に積層されている素子において、素子に入射する光束のうち光束の中心光線を代表光線とするとき、代表光線が素子に入射するさいの入射平面と前期周期方向が平行に近い方の層の周期をＰＡ、それと直交する周期方向の周期をＰＢとするとき、以下の条件式を満たす事を特徴とする偏光素子。
ＰＡ＜ＰＢ
【請求項３】
使用波長以下の周期で屈折率周期構造を層の面方向の一方向に持つ層が、少なくとも１層ずつその周期方向が直交する方向に積層されている素子において、素子から射出する光束のうち射出側に置かれた光学系の光軸を通る光線を代表光線とするとき、代表光線が素子に入射するさいの入射平面と前期周期方向が平行に近い方の層の周期をＰＡ、それと直交する周期方向の周期をＰＢとするとき、以下の条件式を満たす事を特徴とする偏光素子。
ＰＡ＜ＰＢ
【請求項４】
請求項１から３における偏光素子の両側をプリズムで挟み込んだ素子において、前期プリズムは光弾性定数の絶対値が１．０×１０−８ｃｍ２／Ｎより小さいことを特徴とする偏光素子。
【請求項５】
請求項１から４のいずれか１項の偏光素子を用いて、光源部からの光束を画像信号に基づいて変調する変調手段に導光し、該変調手段により変調された光束を投写光学系によって所定面上に投写していることを特徴とする投写型表示装置。
【発明の詳細な説明】
【技術分野】
【０００１】
本発明は、複数の波長、あるいは帯域光で、かつ、比較的広い入射角度範囲で使用する偏光分離素子などの偏光素子に関し、例えば、撮影光学系、投写型表示装置（プロジェクタ）、画像処理装置、半導体製造装置、等の各種光学機器に関するものである。
【背景技術】
【０００２】
従来より、波長以下の周期の一次元格子形状を持つＳＷＳ（ｓｕｂ−ｗａｖｅｌｅｎｇｔｈ  ｓｔｒｕｃｔｕｒｅ）素子が構造複屈折性を有する事は知られてる。
【０００３】
一般的に図２４に示すような一次元格子においてｎ１、ｎ２の媒質がａ：ｂの比で繰り返す一次元格子でそれぞれの偏光の有効屈折率は式（１）（２）で表される。
【０００４】
【数１】
2005331671.tif 000003
【０００５】
１次元格子においてｎ１を誘電体、ｎ２を空気としたとき、媒質のピッチに対する比率であるフィリングファクターｆは式（３）で示される。この例ではフィリングファクターを約０．５程度になるようにエッチングしたものである。 
ｆ＝ａ／（ａ＋ｂ）    ・・・（３）
図２５は、一次元格子の誘電体をＴｉＯ２（ｎ１＝２．３０４）を、一方を空気（ｎ２＝１．０）とした格子でのＴｉＯ２のフィリングファクタｆに対する有効屈折率の変化を表したグラフである。
【０００６】
図２５よりｆの値によらずｎＴＥ＞ｎＴＭである。
【０００７】
上記のような一次元格子が有効屈折率で記述できる条件としては、格子のピッチが十分に小さく、回折が起こらないことが必要である。
【０００８】
図３に示すようなピッチｄの格子の入射側媒質の屈折率をｎ１、射出側媒質の屈折率をｎ２とし、入射光の入射角をθ１、回折による射出光の射出角をθ２とすると、隣あう、光線の光路差（Ｌ１−Ｌ２）が波長の整数倍となるとき回折光が発生する。これは条件式（４）で表われ、この式が成り立つときに回折が発生する。 
ｄｎ１ｓｉｎθ１−ｄｎ２ｓｉｎθ２＝ｍλ    ・・・（４）
ただし、ｍは整数
この式（４）がｍ＝０以外に解が存在しないようにすれば回折が生じない。
【０００９】
入射側、射出側の媒質をともにｎとして、式（４）を式（５）のように変形する。 
ｓｉｎθ１−ｓｉｎθ２＝ｍλ／ｄｎ    ・・・（５）
θ１、θ２が任意の値をとると考えると、式（５）の左辺は式（６）の範囲となる。 
−２  ≦  左辺  ≦  ２    ・・・（６）
よって、λ／ｄｎが左辺より大きければ回折は生じない。すなわち、式（７）が全ての入射角で回折を生じさせないための条件となる。 
ｄ  ＜  λ  ／２ｎ    ・・・（７）
この一次元格子を互いに直交する様に積層したいわゆる井桁構造の素子に関して製法が特許文献１に提案されている。周期的に積層された感光特性のことなる感光材料を積層構造に配置し、それぞれを感光、エッチングすることで井桁構造を実現している。実施例としては井桁構造の模式図だけであり、具体的な形状の大きさを示す数値実施例の記載はないが、フォトニック結晶として使用するには格子のピッチが波長以下である必要があり、また上記の回折の生じない条件を満たさなければならない。素子の入射側、射出側の媒質は空気（ｎ＝１．０）であり条件式（７）より波長の半分程度のピッチで構成されていると考えられる。
【特許文献１】特開２００１−２０９１８９号公報
【発明の開示】
【発明が解決しようとする課題】
【００１０】
しかしながら、上記の素子を偏光分離素子などの様に２つのプリズムの間に埋め込んだ構成で使用する際には、上記条件式（７）において屈折率ｎが空気に比べて大きくなる分、回折を生じさせないためのピッチが狭くなる。上記のような一次元格子では、ピッチに占める媒質の比（フィリングファクタ）と格子の厚み（ｈ）とを変えずにピッチを狭めると、格子の高さと幅の比（アスペクト比）が大きくなることになり、製造上の難易度が増すと言う問題があった。
【００１１】
本発明は、これらの問題を鑑み、使用する光束の入射角度と方向に応じてピッチを最適に設定することで、全光束に対して回折が発生しない条件を保ちながらも、製造が簡易となる構成の偏光素子を得ることを目的とする。
【課題を解決するための手段】
【００１２】
本発明は、使用波長以下の周期で屈折率周期構造を層の面方向の一方向に持つ層が、少なくとも１層ずつその周期方向が直交する方向に積層されている素子において、素子に入射する光束のうち、入射角度が最大となる光線の入射平面と前期周期方向が平行に近い方の層の周期をＰＡ、それと直交する周期方向の周期をＰＢとするとき、以下の条件式（８）を満たす事で、上記問題点を克服するものである。
ＰＡ＜ＰＢ    ・・・（８）
また、使用波長以下の周期で屈折率周期構造を層の面方向の一方向に持つ層が、少なくとも１層ずつその周期方向が直交する方向に積層されている素子において、素子に入射する光束のうち光束の中心光線を代表光線とするとき、代表光線が素子に入射するさいの入射平面と前期周期方向が平行に近い方の層の周期をＰＡ、それと直交する周期方向の周期をＰＢとするとき、上記の条件式（８）を満たす構成とする。
【００１３】
さらに、使用波長以下の周期で屈折率周期構造を層の面方向の一方向に持つ層が、少なくとも１層ずつその周期方向が直交する方向に積層されている素子において、素子から射出する光束のうち射出側に置かれた光学系の光軸を通る光線を代表光線とするとき、代表光線が素子に入射するさいの入射平面と前期周期方向が平行に近い方の層の周期をＰＡ、それと直交する周期方向の周期をＰＢとするとき、上記の条件式（８）を満たす構成とする。
【００１４】
また、上記において、前記プリズムの光弾性定数の絶対値が１．０×１０−８ｃｍ２／Ｎより小さいことを特徴とするものである。
【００１５】
上記の偏光素子を用いて、光源部からの光束を画像信号に基づいて変調する変調手段に導光し、該変調手段により変調された光束を投写光学系によって所定面上に投写していることで有効な投写型表示装置が得られる。
【発明の効果】
【００１６】
本発明によれば、前述のように、偏光素子をプリズムに挟んだ構造に関して、製造上簡易な形状をであり、偏光素子性能も、波長特性、入射角度特性ともに広い範囲で高い性能を持った偏光素子素子を実現することができるという効果がある。
【発明を実施するための最良の形態】
【００１７】
図１は本発明の実施例１の偏光分離プリズムの構成図である。表１に実施例１の構成をあらわす設計値を示す。
【００１８】
【表１】
2005331671.tif 000004
【００１９】
図１において、プリズムの入射面（２５）に対して、偏光分離層（２３）は４５°傾いている。入射面（２５）に垂直に入射する光線のＰ偏光（１８）、Ｓ偏光（２０）が偏光分離層（２３）に入射し、Ｓ偏光は反射（２１）させ、図１の入射側プリズム（２２）にある入射面（２５）とは別の射出面（２６）から射出させる。また、Ｐ偏光は透過（１９）させ、射出側プリズム（２４）にある射出面（２７）から射出させる構成となっている。
【００２０】
図２に格子の方向を表す模式図を示す。偏光分離層（２３）に入射する際の入射平面（２８）と偏光分離層の第１の一次元格子は図２のように平行となり、その方向を格子方向Ｐとする。第２の一次元格子は図２のように入射平面と直交する配置であり、その方向は格子方向Ｖとする。
【００２１】
図４は格子を斜めから見た図であり、図５は図２の２９の矢印で示す方向Ａから見た格子の断面構造図であり、図６は図２の３０の矢印で示す方向Ｂから見た格子の断面構造図である。第１の一次元格子は空気と誘電体が交互に繰り返す格子方向ＰのＬ層（１０１，１０３）である、第２の一次元格子は空気と誘電体が交互に繰り返す格子方向ＶのＨ層（１０２）より構成されている。全体で３層と言う比較的簡易な構成で偏光分離を実現することが可能である。また、誘電体としてはＴｉＯ２を用いている。
【００２２】
それぞれの層をＨ層、Ｌ層としているのは、反射させるＳ偏光に対してのそれぞれの有効屈折率の高低を表している。格子方向Ｖの一次元格子層の厚さは６４ｎｍであり、Ｓ偏光の反射を完全に達成するのに十分な厚さとなっている。一般的に高屈折率の媒質から低屈折率の媒質に入射するときに入射角度が臨界角以上では、一切透過せずに全反射することが知られている。しかし、この時に、境界面近傍の極めて微小な領域において、エバネセント光がしみ出ている。この光の到達領域に次の媒質があると光が透過してしまう。この現象が全反射減衰（ａｔｔｅｎｕａｔｅｄ  ｔｏｔａｌ  ｒｅｆｌｅｃｔｉｏｎ：ＡＴＲ）である。このＡＴＲの光同士の干渉を利用して広い角度範囲、波長範囲で高い反射率を得るのである。一方、格子方向Ｐの一次元格子のからなるＬ層の厚さは３７０ｎｍであり、この数字はＡＴＲによる反射を有効に活用するためのものである。
【００２３】
この膜厚が薄くなると、臨界角以上の入射角度領域ではＡＴＲによる透過が大きくなり、十分な反射が得られない。
【００２４】
一方、ＡＴＲの観点からは、膜厚が厚ければ厚いほど好ましい。しかしながら、膜厚を増しても、反射率は全反射に漸近してしまうため、膜厚を増やしただけの効果は得られない。この一次元格子の形状では、膜厚を増すほど製造の難易度は上がる。そのため、実施例の厚み程度に設定することが好ましい。
【００２５】
また、使用角度の範囲に臨界角以下の通常反射を含むが、そこでの干渉においては実施例での厚みに設定することで、最適な結果が得られた。
【００２６】
実施例１では表１に設計値を示すとおり、プリズムの硝材に屈折率が約１．６０３と比較的低い物を使用した。格子方向Ｖの一次元格子であるＨ層と、格子方向Ｐの一次元格子であるＬ層の誘電体はともにＴｉＯ２であり、屈折率２．２８２の高屈折率な物を使用し、フィリングファクタをＬ層＝０．１８、Ｈ層＝０．８４に設定することで、効率よく複屈折を生じさせている。
【００２７】
格子方向Ｖの一次元格子の層に関しては、Ｐ偏光がＴＭ、Ｓ偏光がＴＥとなる。また、格子方向Ｐの一次元格子の層に関しては、Ｐ偏光がＴＥ、Ｓ偏光がＴＭとなる。
【００２８】
（１）、（２）の式において、一方の媒質をＴｉＯ２、他方を空気として、フィリングファクタｆ（ピッチに対するＴｉＯ２の割合）を変化させたときのそれぞれの偏光に対する有効屈折率を表すグラフは図２５の様になる。
【００２９】
Ｐ偏光に関して、表１に示すとおり第１の一次元格子がｆ＝０．１８の時、ＴＥ方向の有効屈折率は１．３５となり、第２の一次元格子ではｆ＝０．８４の時、ＴＭ方向の有効屈折率は１．８３となる。
【００３０】
一方のＳ偏光に関して、表１に示すとおり第１の一次元格子ではＴＭ方向の有効屈折率は１．０７となり、第２の一次元格子ではＴＥ方向の有効屈折率は２．１８となる。
【００３１】
このように、第１と第２の１次元格子層との有効屈折率がＰ偏光に関しては近い値となり、Ｓ偏光に関しては大きな屈折率差を生じさせることで、それぞれの偏光の光線の透過、反射を実現している。
【００３２】
プリズム形状を図１０に示す。入射側プリズム（２２）と射出側プリズム（２４）の間にＬ層格子（１０１，１０３）が図１０に示す様に斜面方向に、Ｈ層格子（１０２）がそれと直交する方向で挟んだ形状である。
【００３３】
図１１に入射光束を示す。このプリズムに入射光は図１１の様に偏光素子面に４５°をなす光軸（３２）を中心に円形の開口をもって約Ｆｎｏ．２．０光束（３１）として入射する。その際、図１３に示すようなＰ方向の格子の周期方向と光軸（３２）を含む平面を断面（３３）としたとき、断面（３３）内での入射光束の角度は、図１４で示され、光軸に対してθ３の幅をもつ。
【００３４】
また、図１５に示すようなＶ方向の格子の周期方向と光軸（３２）を含む平面を断面（３４）としたとき、断面（３４）内での入射光束の角度は、図１６で示されるように、光軸がθ０傾き、入射角度が最大となる光線の角度はθ３となる。
【００３５】
それぞれの断面における入射角度と、格子ピッチが回折を起こさないようにする必要がある。図１４の断面では光軸の格子に対する入射角度θ０は０°であり、入射角が最大となる光線はＦｎｏ２．０のθ３＝約１４．５°となる。
【００３６】
ここで、前述の回折の条件式（５）において、
ｓｉｎθ１−ｓｉｎθ２＝ｍλ／ｄｎ    ・・・（５）
入射光の入射角θ１は以下の範囲（９）であり、ｓｉｎθ１は以下の範囲（１０）となる。
−１４．５≦θ１≦１４．５    ・・・（９）
−０．２５≦ｓｉｎθ１≦０．２５    ・・・（１０）
θ２が任意であるとき、式（６）の左辺の取りうる値は以下のようである。
−１．２５≦左辺≦１．２５    ・・・（１１）
よって、以下の条件をみたすときに式（５）はｍ＝０以外の解が存在しない。
１．２５＜λ／ｄｎ    ・・・（１２）
すなわち、格子のピッチｄが以下の条件式（１３）を満たすとき回折は生じない。
ｄ＜λ／１．２５ｎ    ・・・（１３）
使用波長のうち、最も短い波長λ＝４３０ｎｍ、プリズムの屈折率ｎ＝１．６０３を代入すると以下のようになる。
ｄ＜２１５［ｎｍ］    ・・・（１４）
図１４の断面図で示される格子ピッチ、すなわちＬ層の格子ピッチは表１に示すように２００ｎｍとして上記の条件をほぼ満たす値としている。
【００３７】
一方、図１６の断面では光軸の格子に対する入射角度はθ０＝４５°であり、入射角度が最大になる光線の角度はθ３＝５９．５°となる。式（５）を用いて上記と同様に扱えば、式（５）の左辺の取りうる値は式（１５）の範囲であり、格子ピッチｄが以下の条件式（１６）を満たすとき回折は生じない。
−１．８７≦左辺≦１．８７    ・・・（１５）
ｄ＜λ／１．８７ｎ            ・・・（１６）
使用波長のうち、最も短い波長λ＝４３０ｎｍ、プリズムの屈折率ｎ＝１．６０３を代入すると以下のようになる。
ｄ＜１４３［ｎｍ］          ・・・（１７）
図１６の断面図で示される格子ピッチ、すなわちＨ層の格子ピッチは表１に示すように１４０ｎｍとして上記の条件をほぼ満たす値としている。
【００３８】
光軸の入射角度θ０に関しても、最大光線の入射角度θ３に関しても、最大となる方向は入射平面がＶ方向なため。Ｌ層格子（１０１，１０３）のピッチがＰＢ、Ｈ層格子（１０２）のピッチがＰＡとなる。これは、表３に示すように条件式（８）を満たす値となっている。
【００３９】
表１に示す様に、Ｌ層格子の方がピッチが大きくなっているが、Ｌ層格子では媒質の幅の割合が小さく、層が厚いので、アスペクト比（格子幅に対する格子厚さの比）大きくなっているが、ピッチを少しでも大きくすることでアスペクト比が減少し製造上の難易度が軽減している。
【００４０】
図２６の（ａ）〜（ｃ）図がこの設計値の厳密結合波解析計算（Ｒｉｇｏｒｏｕｓ  ｃｏｕｐｌｅｄ−ｗａｖｅ  ａｎａｌｙｓｉｓ：ＲＣＷＡ）による性能のシミュレーション結果である。Ｐ偏光では、高入射角で、透過率が落ちているが、実使用時の角度特性のウエートを考慮するとほとんど問題ないレベルである。
【００４１】
Ｓ偏光に関しては低入射角の短波長側で性能が劣化している以外は３５〜５５°と言うかなり広い入射角範囲で透過する光線がほとんど無く、完全な反射率を達成している。
【００４２】
図７に実施例２の偏光分離素子の構成を示す。図７は格子を斜めから見た図である。実施例１と同様に図２のような方向から見た断面図がそれぞれ図８と図９である。
【００４３】
第１の一次元格子は空気と誘電体が交互に繰り返す格子方向ＶのＨ層（２０１，２０３，２０５）である。第２の一次元格子は空気と誘電体が交互に繰り返す格子方向ＰのＬ層（２０２，２０４）より構成されている。
【００４４】
全体で５層と言う比較的簡易な構成で偏光分離を実現することが可能である。また、誘電体としてはＴｉＯ２を用いている。
【００４５】
実施例２では表２に設計値を示すとおり、プリズムの硝材に屈折率が約１．６０３と比較的低い物を使用した。格子方向Ｖの一次元格子であるＨ層と、格子方向Ｐの一次元格子であるＬ層の誘電体はともにＴｉＯ２であり、屈折率２．２８２の高屈折率な物を使用し、フィリングファクタをＬ層＝０．３０、Ｈ層＝０．９０に設定することで、効率よく複屈折を生じさせている。
【００４６】
【表２】
2005331671.tif 000005
【００４７】
【表３】
2005331671.tif 000006
【００４８】
Ｐ偏光に関して、表２に示すとおり第１の一次元格子ではｆ＝０．３０の時、ＴＥ方向の有効屈折率は１．５５となり、第２の一次元格子ではｆ＝０．９０の時、ＴＭ方向の有効屈折率は１．９８となる。
【００４９】
一方のＳ偏光に関して、表２に示すとおり第１の一次元格子ではＴＭ方向の有効屈折率は１．１７となり、第２の一次元格子ではＴＥ方向の有効屈折率は２．２１となる。
【００５０】
このように、第１と第２の１次元格子層との有効屈折率がＰ偏光に関しては近い値となり、Ｓ偏光に関しては大きな屈折率差を生じさせることで、それぞれの偏光の光線の透過、反射を実現している。
【００５１】
プリズム形状を図１２に示す。入射側プリズム（２２）と射出側プリズム（２４）の間にＬ層格子（２０２，２０４）が図１０に示す様に斜面方向に、Ｈ層格子（２０１，２０３，２０５）がそれと直交する方向で挟んだ形状である。
【００５２】
入射光束に関しては実施例１と同様であり図１１に示す。
【００５３】
図１４，１６において各断面（３３）、（３４）での入射角度と、格子ピッチが回折を起こさないようにする必要があり、その時の各格子のピッチの条件は同様に上記式（１４）、（１７）となる。
【００５４】
表２に示すようにＨ層の格子のピッチは１２０ｎｍと条件式（１７）を満たすものとしている。一方、Ｌ層の格子のピッチは３００ｎｍと条件式（１４）を超えているが性能上実質問題のない範囲まで広げている。
【００５５】
光軸の入射角度θ０に関しても、最大光線の入射角度θ３に関しても、最大となる方向は入射平面がＶ方向なため。Ｌ層格子（２０２，２０４）のピッチがＰＢ、Ｈ層格子（２０１，２０３，２０５）のピッチがＰＡとなり、表３に示すように条件式（８）を満たす値となっている。
【００５６】
表２に示す様に、Ｌ層格子の方がピッチが大きくなっているが、Ｌ層格子では媒質の幅の割合が小さく、層が厚いので、アスペクト比（格子幅に対する格子厚さの比）は大きくなっているが、ピッチを少しでも大きくすることでアスペクト比が減少し製造上の難易度が軽減している。
【００５７】
図２７の（ａ）〜（ｃ）図がこの設計値の厳密結合波解析計算（Ｒｉｇｏｒｏｕｓ  ｃｏｕｐｌｅｄ−ｗａｖｅ  ａｎａｌｙｓｉｓ：ＲＣＷＡ）による性能のシミュレーション結果である。Ｐ偏光では、低入射角で、多少透過率が落ちているが、それ以外は、ほぼ良好な性能を達成している。
【００５８】
Ｓ偏光に関しては低入射角の短波長側で性能が劣化している以外は３５〜５５°と言うかなり広い入射角範囲で透過する光線がほとんど無く、完全な反射率を達成している。
【００５９】
図１７は、実施例３の偏光素子を示すものである。位相板などのように入射角が０°で入射するような構成で使用する素子である。図の様に一次元格子（３５）、（３６）が互いに直交するように積層された構造である。図１８は実施例３の入射光束を示すもので、図のように光軸（３２）は入射角度０°で入射し、それを中心に楕円の開口を持った光束である。図１９に示すように、開口の楕円の長軸を含む断面（３７）での光束は、図２１のようになる。また図２０に示すように、開口の楕円の短軸を含む断面（３８）での光束は、図２２で示すようになる。
【００６０】
図２１で示す断面（３７）での入射光束はＦＮｏ．＝２．０の開口を持ちθ４＝１４．５°となる。よって、この断面方向の格子ピッチは第１実施例と同様に式（１４）を満たすことが必要である。
ｄ＜２１５［ｎｍ］    ・・・（１４）
一方、図２２で示す断面（３８）での入射光束はＦＮｏ．＝４．０の開口であり、θ５＝７．２°となる。この断面方向の格子ピッチは同様に計算すると式（１８）となる。
ｄ＜２３８［ｎｍ］    ・・・（１８）
表３に示すようにそれぞれの格子のピッチは条件式（１４）、（１８）を満たしているため回折は生じない。
【００６１】
実施例３において図２１でしめす断面（３７）が入射平面となる光束が最大入射角度を持つため、この断面図で示される格子ピッチがＰＡ、それと直交する格子ピッチがＰＢとなる。これらは表３に示すように条件式（８）を満たす値となっている。
【００６２】
図２３は、本発明の第４実施例である。本発明の偏光分離素子を用いた反射型画像変調装置を示している。図中、１は高圧水銀ランプなどからなる光源、２は光源１から光を所定の方向に放射するためのリフレクター、３は均一な照明強度を有する照明領域を形成するためのインテグレーターであり、フライアイレンズ３ａ、３ｂから構成されており、４は無偏光な光を所定の偏光方向に揃える偏光変換素子であり、５は照明光を集光するコンデンサーレンズ、６はミラー、７は照明光をテレセントリックな光にするフィールドレンズ、８は緑の波長領域光を透過するダイクロイックミラー、９ａ１、９ｂ１、９ｃ１はそれぞれ偏光分離層であり、Ｓ偏光を反射してＰ偏光を透過させる特性をもつ、９ａ、９ｂ、９ｃは偏光分離層９ａ１、９ｂ１、９ｃ１を有する実施例１，２の偏光分離プリズムである。図１１に示す光軸（３２）と射出側の投射レンズ（１４）の光軸を光学的に一致させた配置をとっており、その際の偏光分離素子の格子ピッチは実施例１，２の通り条件式（１）を満たす構成となっている。１０ａ、１０ｂはそれぞれ所定波長領域の光の偏光方向を９０°変換（回転）する色選択性位相差板、１１ｒ、１１ｇ、１１ｂはそれぞれ入射した照明光を反射するとともに画像信号に応じて変調して画像光を形成する反射型液晶表示素子、１４は投射レンズ系である。以上の構成のように実施例１、２の偏光分離素子を配置すると、入射角度特性、波長特性に優れているため、光学系全体で得られるコントラストが極めて高い反射型液晶プロジェクタを実現できる。
【図面の簡単な説明】
【００６３】
【図１】本発明の第１実施例に対応する偏光分離素子の構成図
【図２】本発明の第１，２実施例に対応する偏光分離素子の方向を説明する模式図
【図３】格子による回折を説明する模式図
【図４】本発明の第１実施例に対応する偏光分離素子の格子形状の斜視図
【図５】本発明の第１実施例に対応する偏光分離素子の格子形状の方向Ａからの格子断面図
【図６】本発明の第１実施例に対応する偏光分離素子の格子形状の方向Ｂからの格子断面図
【図７】本発明の第２実施例に対応する偏光分離素子の格子形状の斜視図
【図８】本発明の第２実施例に対応する偏光分離素子の格子形状の方向Ａからの格子断面図
【図９】本発明の第２実施例に対応する偏光分離素子の格子形状の方向Ｂからの格子断面図
【図１０】本発明の第１実施例に対応する偏光分離素子プリズムの構成図
【図１１】本発明の第１，２実施例に対応する偏光分離素子プリズムへの入射光束を示す模式図
【図１２】本発明の第２実施例に対応する偏光分離素子プリズムの構成図
【図１３】本発明の第１，２実施例に対応する偏光分離素子プリズムへの入射光束を示す模式図
【図１４】本発明の第１，２実施例に対応する偏光分離素子プリズムへの入射光束を示す模式図
【図１５】本発明の第１，２実施例に対応する偏光分離素子プリズムへの入射光束を示す模式図
【図１６】本発明の第１，２実施例に対応する偏光分離素子プリズムへの入射光束を示す模式図
【図１７】本発明の第３実施例に対応する位相素子の構成図
【図１８】本発明の第３実施例に対応する位相素子への入射光束を示す模式図
【図１９】本発明の第３実施例に対応する位相素子への入射光束を示す模式図
【図２０】本発明の第３実施例に対応する位相素子への入射光束を示す模式図
【図２１】本発明の第３実施例に対応する位相素子への入射光束を示す模式図
【図２２】本発明の第３実施例に対応する位相素子への入射光束を示す模式図
【図２３】本発明の第４実施例に対応する偏光分離素子を反射型液晶プロジェクタ光学系に組み込んだ構成図
【図２４】一次元型ＳＷＳ格子の有効屈折率のモデルを説明する図
【図２５】一次元型ＳＷＳ格子にＴｉＯ２を用いたときの構造複屈折を表すグラフ
【図２６】第１実施例に対応する偏光分離素子のＲＣＷＡ計算による可視光領域での偏光分離特性を表すグラフ（ａ）は入射角度３５．０°（ｂ）は入射角度４５．０°（ｃ）は入射角度５５．０°での各偏光の透過率の波長特性
【図２７】第２実施例に対応する偏光分離素子のＲＣＷＡ計算による可視光領域での偏光分離特性を表すグラフ（ａ）は入射角度３５．０°（ｂ）は入射角度４５．０°（ｃ）は入射角度５５．０°での各偏光の透過率の波長特性
【符号の説明】
【００６４】
１  高圧水銀ランプなどからなる光源
２  リフレクター
３  インテグレーター
３ａ，３ｂ  フライアイレンズ
４  偏光変換素子
５  コンデンサーレンズ
６  ミラー
７  フィールドレンズ
８  ダイクロイックミラー
９ａ、９ｂ、９ｃ  偏光分離プリズム
９ａ１、９ｂ１、９ｃ１  偏光分離層
１０ａ、１０ｂ  色選択性位相差板
１１ｒ、１１ｇ、１１ｂ  反射型液晶表示素子
１４  投射レンズ系
１８  Ｐ偏光入射光
１９  Ｐ偏光透過光
２０  Ｓ偏光入射光
２１  Ｓ偏光反射光
２２  入射側プリズム
２３  偏光分離層
２４  射出側プリズム
２５  入射面
２６  Ｓ偏光反射光の射出面
２７  Ｐ偏光透過光の射出面
２８  入射平面
２９  格子断面観察方向Ａを示す矢印
３０  格子断面観察方向Ｂを示す矢印
３１  入射光束
３２  入射光束の光軸
３３  入射光束の光軸を含む横断面
３４  入射光束の光軸を含む縦断面
３５  位相板を構成する格子
３６  位相板を構成する格子
３７  入射光束の光軸と開口の長軸を含む断面
３８  入射光束の光軸と開口の短軸を含む断面
【図１】
2005331671.tif 000007
【図２】
2005331671.tif 000008
【図３】
2005331671.tif 000009
【図４】
2005331671.tif 000010
【図５】
2005331671.tif 000011
【図６】
2005331671.tif 000012
【図７】
2005331671.tif 000013
【図８】
2005331671.tif 000014
【図９】
2005331671.tif 000015
【図１０】
2005331671.tif 000016
【図１１】
2005331671.tif 000017
【図１２】
2005331671.tif 000018
【図１３】
2005331671.tif 000019
【図１４】
2005331671.tif 000020
【図１５】
2005331671.tif 000021
【図１６】
2005331671.tif 000022
【図１７】
2005331671.tif 000023
【図１８】
2005331671.tif 000024
【図１９】
2005331671.tif 000025
【図２０】
2005331671.tif 000026
【図２１】
2005331671.tif 000027
【図２２】
2005331671.tif 000028
【図２３】
2005331671.tif 000029
【図２４】
2005331671.tif 000030
【図２５】
2005331671.tif 000031
【図２６】
2005331671.tif 000032
【図２７】
2005331671.tif 000033